(57)【特許請求の範囲】
【請求項１】
環状板の外周部に吊り部材を等間隔に突設して杭頭保護具を構成し、前記環状板を中空杭の端板に固定し、前記環状板上に円筒とリング板よりなる排土ホッパーへの嵌挿筒を連設し、前記吊り部材は前記環状板から外方に突出させると共に、前記吊り部材は、ワイヤーを層通して、前記杭頭保護具を吊り上げて前記中空杭を吊り上げできる孔を形成したことを特徴とする中掘工法における杭頭保護装置。
【請求項２】
環状板の外周部に吊り部材を等間隔に突設して杭頭保護具を構成し、前記環状板を中空杭の端板に固定し、前記環状板上に円筒とリング板よりなる排土ホッパーへの嵌挿筒を連設し、前記環状板の下部へ連結片を介して下環状板を固定し、該下環状板の下面へ、前記杭頭保護具を前記中空杭の端板に取り付ける際にガイドとなる案内片を突設したことを特徴とする中掘工法における杭頭保護装置。
【請求項３】
中空杭の端板に固定できるようにした環状板の上部に、リブ付きの円筒とリング板よりなる排土ホッパーへの嵌挿筒を連設し、前記環状板の外周部に吊り部材を等間隔に固定し、前記吊り部材は前記環状板から外方に突出させると共に、前記吊り部材は、ワイヤーを層通して、前記杭頭保護具を吊り上げて前記中空杭を吊り上げできる孔を形成したことを特徴とする中掘工法における杭頭保護具。
【請求項４】
環状板の下面へ連結片を介して下環状板を固定すると共に、該下環状板の下面へ、前記杭頭保護具を中空杭の端板に取り付ける際にガイドとなる案内片を突設したことを特徴とする請求項３記載の中掘工法における杭頭保護具。
【請求項５】
中空杭の端板に固定できるようにした環状板の上部に、リブ付きの円筒とリング板よりなる排土ホッパーへの嵌挿筒を連設し、前記環状板の外周部に吊り部材を等間隔に固定し、前記吊り部材は前記環状板から外方に突出させると共に、前記吊り部材は、ワイヤーを層通して、前記杭頭保護具を吊り上げて前記中空杭を吊り上げできる孔を形成した、前記環状板の下面へ、杭頭に嵌装する円筒を固着したことを特徴とする中掘工法における杭頭保護具。
【請求項６】
環状板の下面へ連結片を介して下環状板を固定すると共に、該下環状板の下面へ、前記杭頭保護具を中空杭の端板に取り付ける際にガイドとなる案内片を突設し、前記案内片は、杭頭に嵌装する円筒の内側に位置するように配置したことを特徴とする請求項５記載の中掘工法における杭頭保護具。
【発明の詳細な説明】
【０００１】
【発明の属する技術分野】
この発明は、中掘工法による施工の際に使用する中空杭の頭部を保護することを目的とした中掘工法における杭頭保護装置及び杭頭保護具に関する。
【０００２】
【従来の技術】
従来中掘工法に使用された中空杭の頭部に排土ホッパーを固定するには、掘進機構ギアケースの内側下端に取着する受金具と、この受金具に遊嵌、嵌合する圧締金具との組合わせよりなる杭頭圧締装置が提案されている（特開平５−２２２７２８号）。
【０００３】
また出願人は先に杭頭に固定した環状板に排土筐を掛脱自在に掛止した発明を提案した（特開平８−２６９９６５号）。
【０００４】
【発明により解決しようとする課題】
前記前発明（特開平５−２２２７２８号）は、その構成上、杭頭部及び杭頭側部の杭端板を損傷、変形させるおそれがあり、杭を連結する場合に、杭端板同士が不一致となったり、接続部が不完全になる問題点があった。
【０００５】
また後発明（特開平８−２６９９６５号）は、頭部保護の目的は達成しているけれども、この発明は杭を吊り上げ又は吊下げる場合の変形防止その他について、前記後発明を更に改良したものである。
【０００６】
【課題を解決するための手段】
この発明は、杭頭の端板に固定する環状板に嵌挿筒を連設し（又は杭頭に頂板付き円筒を嵌装し）、前記環状板を補強して吊り上げ、又は吊下げに耐え得るようにし、前記従来の問題点を解決したのである。
【０００７】
即ちこの発明の装置は、環状板の外周部に吊り部材を等間隔に突設して杭頭保護具を構成し、前記環状板を中空杭の端板に固定し、前記環状板上に円筒とリング板よりなる排土ホッパーへの嵌挿筒を連設し、前記吊り部材は前記環状板から外方に突出させると共に、前記吊り部材は、ワイヤーを層通して、前記杭頭保護具を吊り上げて前記中空杭を吊り上げできる孔を形成したことを特徴とする中掘工法における杭頭保護装置である。また、環状板の外周部に吊り部材を等間隔に突設して杭頭保護具を構成し、前記環状板を中空杭の端板に固定し、前記環状板上に円筒とリング板よりなる排土ホッパーへの嵌挿筒を連設し、前記環状板の下部へ連結片を介して下環状板を固定し、該下環状板の下面へ、前記杭頭保護具を前記中空杭の端板に取り付ける際にガイドとなる案内片を突設したことを特徴とする中掘工法における杭頭保護装置である。
【０００９】
次ぎに保護具の発明は、中空杭の端板に固定できるようにした環状板の上部に、リブ付きの円筒とリング板よりなる排土ホッパーへの嵌挿筒を連設し、前記環状板の外周部に吊り部材を等間隔に固定し、前記吊り部材は前記環状板から外方に突出させると共に、前記吊り部材は、ワイヤーを層通して、前記杭頭保護具を吊り上げて前記中空杭を吊り上げできる孔を形成したことを特徴とする中掘工法における杭頭保護具である。また、前記において、環状板の下面へ連結片を介して下環状板を固定すると共に、該下環状板の下面へ、前記杭頭保護具を中空杭の端板に取り付ける際にガイドとなる案内片を突設したことを特徴とする中掘工法における杭頭保護具である。
【００１０】
また中空杭の端板に固定できるようにした環状板の上部に、リブ付きの円筒とリング板よりなる排土ホッパーへの嵌挿筒を連設し、前記環状板の外周部に吊り部材を等間隔に固定し、前記吊り部材は前記環状板から外方に突出させると共に、前記吊り部材は、ワイヤーを層通して、前記杭頭保護具を吊り上げて前記中空杭を吊り上げできる孔を形成した、前記環状板の下面へ、杭頭に嵌装する円筒を固着したことを特徴とする中掘工法における杭頭保護具である。また、前記において、環状板の下面へ連結片を介して下環状板を固定すると共に、該下環状板の下面へ、前記杭頭保護具を中空杭の端板に取り付ける際にガイドとなる案内片を突設し、前記案内片は、杭頭に嵌装する円筒の内側に位置するように配置したことを特徴とする中掘工法における杭頭保護具である。
【００１２】
前記発明によれば、中空杭を吊り上げ又は吊り下げる際に、その荷重が掛る環状板は、嵌挿筒などによって補強されている為に、変形のおそれがないのみならず、杭頭を損傷するおそれもない。また杭頭を締付ける油圧式の場合には、杭頭に嵌装した円筒が杭頭を保護する。
【００１３】
前記発明によれば、排土ホッパーには、嵌挿筒などが嵌装されて中空杭の中心線と同一中心線上に設置されるので、中空杭の吊り上げ、吊り下げが垂直方向に正しく行わる。
【００１４】
【発明の実施の形態】
この発明は、吊り部材を備えた環状板を、中空杭の端板に固定し、該環状板上に円筒とリング板よりなる排土ホッパーへの嵌挿筒を連設した杭頭保護装置である。
【００１５】
次にこの発明は、中空杭の上端部に、内鍔付きの円筒を嵌装し、前記中空杭の端板と、前記内鍔とを固定した杭頭保護装置である。また中空杭の端板に固定した環状板に、円筒を連設した杭頭保護装置である。
【００１６】
前記のように、中空杭の吊上げ、吊下げ又は排土ホッパーの固定時に加えられる外力は、総て保護具に加えられるので、杭頭は常時保護され、変形又は損傷を受けるおそれはない。
【００１７】
また他の発明は、中空杭の端板に固定できるようにした環状板の上部にリブ付きの円筒とリング板よりなる排土ホッパーへの嵌挿筒を固定し、前記環状板の外周部へ吊り部材を等間隔に固定した杭頭保護具である。また前記環状板の下面へ杭頭の案内片を突設した杭頭保護具である。
【００１８】
前記杭頭には端板が固定され、かつ杭頭に嵌装する円筒の頂部に端板と固定する為の内鍔が設けてある。
【００１９】
【実施例１】
この発明の実施例を図１、２に基づいて説明する。環状板１の外周部に吊り部材２、２を等間隔に固定し、前記環状板１の上面に円筒６ａを連設し、円筒６ａの外側壁へリブ３、３を等間隔（９０度間隔）に立設固定し、前記円筒６ａとリブ３、３の上端にリング板４を固定して排土ホッパー５への嵌挿筒６を形成して、この発明の杭頭保護具１０を構成した。図中１ａは環状板１の中央孔、７は吊り部材２、２の孔である。
【００２０】
前記杭頭保護具１０は、環状板１を中空杭８の端板９に当接し、環状板１と端板９とをボルト１１により固定する。前記端板９は、杭頭８ａの上部に嵌装した円筒９ａの内鍔を形成している（図１（ａ）、（ｂ））。図中１５は掘削ロッドである。
【００２１】
前記嵌挿筒６に、排土ホッパー５の下部を嵌装し、該排土ホッパー５のブラケット５ａへピン１３により回動自在に取付けたフック１４の鈎部１４ａを、前記環状板１の下面突縁に掛止すれば、杭頭保護具１０と、排土ホッパー５とを固定することができる（図１（ｃ））。
【００２２】
図２の実施例は、前記図１の実施例の環状板１の下面に、中空杭８の頭部へ嵌装する円筒１２を連結したものである。該円筒１２は中空杭の頭部外側壁をも保護することができる。
【００２３】
【実施例２】
この発明の他の実施例を図４、５に基づいて説明する。環状板１の外周部に吊り部材２、２を等間隔に固定し、前記環状板１の上面にリブ３、３を設けた円筒６ａを立設固定し、前記円筒６ａとリブ３、３の上部にリング板４を固定して、嵌挿筒６を構成する。前記環状板１の下面に、連結片１６を介して下環状板１７を固定し、下環状板１７の下面に案内片１８を等間隔に突設して、この発明の保護具２０を構成した（図６（ｂ））。この保護具２０を中空杭８の端板９に固定すれば、この発明の保護装置ができる。
【００２４】
前記案内片１８の外側へ案内筒１９を固定することもできる（図５）。図４中９ｂは端板９から上方へ突設した連結片である。前記実施例の保護具２０は、図５のように中空杭８の上部へ案内筒１９を嵌装して固定し、更に排土ホッパー５を装着して使用する。何れにしても中空杭の吊り上げ、吊り下げに際し、杭頭を傷つけるおそれはない。
【００２５】
【実施例３】
この発明の他の実施例（油圧式の杭頭保護具）を図７、８に基づいて説明する。即ち環状板２１上へ円筒２２を連設して保護具３０を構成した。前記環状板２１と、中空杭８の端板９とをボルト２３で固定すれば保護装置となる（図７（ａ））。
【００２６】
また環状板２４上へ、側壁に滑り止めの環状突条２５を設けた円筒２６を立設固定し、保護具３０ａを構成した。前記端板９と、環状板２４とは、ボルト２３で固定した。図７のように排土ホッパー５は油圧装置３２により装着する。
【００２７】
更にリング状の頂板２７ａ付き円筒２７よりなる保護具３１をボルト２３により中空杭８の端板９へ固定すると保護装置となる（図８（ａ））。
【００２８】
次にリング状の頂板２８ａ付き円筒２８の外側壁へ環状突条２９を設けた保護筒３１ａの頂板２８ａをボルト２３により中空杭８の端板９に固定すると保護装置となる（図８（ｂ））。
【００２９】
【発明の効果】
この発明は、中空杭の端板へ環状板をボルトで固定し、環状板に設けた嵌挿筒に排土ホッパーを連結するので、中空杭の頭部は確実に保護され、損傷しないので中空杭の連結時に支障を来すおそれはない。また排土ホッパーとの連結が確実になる効果もある。
【００３０】
この発明によれば、環状板に吊り部材を固定したので、杭頭保護具を吊り上げて、中空杭の端板に取付ける際に、吊り上げ易いと共に、環状板上の円筒の歪みを防止できる効果がある。また杭をクレーンで吊り上げる際に、吊り部材にワイヤーを通して吊り上げることによって、従来のように杭外周面にワイヤーを巻き付けて吊り上げていた時に頻繁に生じていたワイヤーが滑って杭が落下するような事故を未然に防止できる効果がある。
【００３１】
次に案内片を設けたので、杭頭保護具を中空杭の端板に取付ける際のガイドとなり、取付けが容易になる効果がある。
【図面の簡単な説明】
【図１】（ａ）この発明の装置の実施例の中空杭との連結前の一部を省略した正面図。
（ｂ）同じく連結後の一部を省略した断面図。
（ｃ）同じく排土ホッパーを連結した実施例の一部を省略した正面図。
【図２】同じく他の実施例の正面図。
【図３】（ａ）同じく保護具の実施例の平面図。
（ｂ）同じく正面図。
（ｃ）同じく底面図。
【図４】（ａ）同じく装置の他の実施例の中空杭との連結前の一部を省略した正面図。
（ｂ）同じく連結後の一部を省略した断面図。
（ｃ）同じく排土ホッパーを連結した実施例の一部を省略した正面図。
【図５】同じく他の実施例の正面図。
【図６】（ａ）同じく保護具の実施例の平面図。
（ｂ）同じく正面図。
（ｃ）同じく底面図。
【図７】（ａ）同じく他の装置の実施例の正面図。
（ｂ）同じく他の装置の実施例の正面図。
【図８】（ａ）同じく円筒を用いた他の装置の実施例の正面図。
（ｂ）同じく他の実施例の正面図。
【符号の説明】
１、２１、２４  環状板
１ａ  中央孔
１ｂ  ボルト孔
２  吊り部材
３  リブ
４  リング板
５  排土ホッパー
５ａ  ブラケット
６  嵌挿筒
６ａ、９ａ、１２  円筒
７  孔
８  中空杭
８ａ  杭頭
９  端板
９ｂ  連結片
１０  杭頭保護具
１１  ボルト
１３  ピン
１４  フック
１４ａ  鈎部
１５  掘削ロッド
１６  連結片
１７  下環状板
１８  案内片
１９  案内筒
２０、３０、３０ａ、３１  保護具
２２、２６、２７、２８  円筒
２７ａ、２８ａ  頂板
２３  ボルト
２５、２９  環状突条
３１ａ  保護筒
【図１】
0004352155.tif 000002
【図２】
0004352155.tif 000003
【図３】
0004352155.tif 000004
【図４】
0004352155.tif 000005
【図５】
0004352155.tif 000006
【図６】
0004352155.tif 000007
【図７】
0004352155.tif 000008
【図８】
0004352155.tif 000009